(57)【要約】【課題】  縦框の端部に樹脂製のキャップを装着してなる建具において、火災時にキャップの溶融によって生じる隙間の発生を防止して、室内外の炎や煙の連通を抑制する。【解決手段】  建物開口部に配置される枠体と、枠体内に配置される障子を備え、障子は、室外側のアルミ形材と室内側の樹脂形材とで形成された縦框の内周面に、中空部を有するアルミ形材を備える横框の端部を当接させて框組してあり、縦框の端面は樹脂製の端部キャップにより覆われているとともに、横框のアルミ形材の端部の少なくとも一部は、縦框の端面を覆う樹脂製の端部キャップに対向しており、横框のアルミ形材の中空部内には、樹脂製の端部キャップに向けて発泡する加熱発泡材が配置されている。【選択図】図７
2018035521.tif 000002
【特許請求の範囲】
【請求項１】
建物開口部に配置される枠体と、枠体内に配置される障子を備え、
障子は、室外側のアルミ形材と室内側の樹脂形材とで形成された縦框の内周面に、中空部を有するアルミ形材を備える横框の端部を当接させて框組してあり、
縦框の端面は樹脂製の端部キャップにより覆われているとともに、横框のアルミ形材の端部の少なくとも一部は、縦框の端面を覆う樹脂製の端部キャップに対向しており、
横框のアルミ形材の中空部内には、樹脂製の端部キャップに向けて発泡する加熱発泡材が配置されている
ことを特徴とする建具。
【発明の詳細な説明】
【技術分野】
【０００１】
本発明は、建物開口部に配置される防火サッシに関する。
【背景技術】
【０００２】
従来、建物開口部に配置される上げ下げ式の建具として、枠体の上方位置に外障子を固定して、枠体の下方位置に形成される開口を内障子によって開閉自在にする上げ下げ式の建具が公知となっている。
【先行技術文献】
【特許文献】
【０００３】
【特許文献１】特開２００１−６５２５６号公報
【発明の概要】
【発明が解決しようとする課題】
【０００４】
前記特許文献１の建具は、例えば外障子の框体は、断熱性向上のために、アルミ形材等の金属材料により形成された室外側部材と樹脂材料により形成された室内側部材から構成され、縦框の内周面に横框の端面を突き合わせて四周に組んで形成されている。
このような建具は、縦框の上下端部に樹脂製のキャップが装着されて保護されることがあるが、火災時には、樹脂製のキャップは早期に溶融して形状を保つことが困難になり、キャップが存在していた縦框の端部や縦框と横框との当接部分に室内外に貫通する隙間が生じてしまい、該隙間を通って炎や煙が侵入する可能性があった。
また、キャップが溶融することにより縦框が煙突状になり、縦框の内部を通って煙が室内に侵入する可能性があった。
【０００５】
本発明は、上記の事情を鑑み、縦框の端部に樹脂製のキャップを装着してなる建具において、火災時にキャップの溶融によって生じる隙間の発生を防止して、室内外の炎や煙の連通を抑制することを目的とする。
【課題を解決するための手段】
【０００６】
本発明は、建物開口部に配置される枠体と、枠体内に配置される障子を備え、障子は、室外側のアルミ形材と室内側の樹脂形材とで形成された縦框の内周面に、中空部を有するアルミ形材を備える横框の端部を当接させて框組してあり、縦框の端面は樹脂製の端部キャップにより覆われているとともに、横框のアルミ形材の端部の少なくとも一部は、縦框の端面を覆う樹脂製の端部キャップに対向しており、横框のアルミ形材の中空部内には、樹脂製の端部キャップに向けて発泡する加熱発泡材が配置されていることを特徴とする。
【発明の効果】
【０００７】
本発明により、火災時に、キャップが溶融することによる隙間の発生を抑制することができ、火災の延焼を抑制することができる。
【図面の簡単な説明】
【０００８】
【図１】本発明の実施形態に係る防火サッシを室内側から見た斜視図である。
【図２】本発明の実施形態に係る防火サッシの縦断面図であり、内障子により開閉される下方位置を左縦枠部分に示し、外障子が固定される上方位置を右縦枠部分に示している。
【図３】本発明の実施形態に係る防火サッシの横断面図である。
【図４】本発明の実施形態に係る防火サッシの外障子を下方から見た斜視図であり、（ａ）は室内側下方からみた斜視図であり、（ｂ）は室外側下方から見た斜視図である。
【図５】本発明の実施形態に係る防火サッシの外障子の縦框下端に固定される下端キャップの図であり、（ａ）は平面図であり、（ｂ）は側面図であり、（ｃ）は正面図である。
【図６】本発明の実施形態に係る防火サッシの端部の図であり、（ａ）は横断面図であり、（ｂ）は縦断面図である。
【図７】本発明の実施形態に係る防火サッシの端部の図であり、（ａ）は縦面図であり、（ｂ）はつぶれ防止部材の端部の斜視図である。
【発明を実施するための形態】
【０００９】
本発明の実施形態に係る防火サッシを、図面を参照して説明する。
（全体の構成）
本発明の実施形態に係る防火サッシは、図１に示すように、建物開口部に設置される枠体１と、枠体１の室外側に配置される外障子３と、枠体１の室内側を上下方向に上げ下げ開閉自在に配置される内障子２とからなる上げ下げ窓として構成されている。
【００１０】
枠体１は、図２，３に示すように、上枠１１、下枠１２及び左、右縦枠１３，１４を四周に組んでなり、内、外障子２，３は、上框２１，３１、下框２２，３２、左縦框２３，３３（図示はない。）及び右縦框２４，３４を四周に組んでその内周にパネル体が嵌め込まれてなり、外障子３は、枠体１の室外側上方部位に固定されているとともに、内障子２は、枠体１の室内側において上下動自在に配置されている。
本実施形態の防火サッシにおいては、外障子３のさらに室外側であって、枠体１の下方部位を覆うように、網戸４が配置されている。
なお、本発明の防火サッシは、枠体に対して外障子が固定される上げ下げ窓に限るものではなく、内障子が固定されるものでも良いし、内障子と外障子が共に上げ下げ自在に配置されているものなど、どのようなサッシであってもよい。
【００１１】
（枠体の構成）
−上枠−
枠体１を構成する上枠１１は、図２に示すように、アルミニウム等の金属材料により形成された上枠本体１１１及び上枠本体１１１の室内側内周面を覆う室内側樹脂部材１１２を備えている。
上枠本体１１１は、開口部の内周面を構成する上壁部１１１ａと、上壁部１１１ａの室外側端より垂下する室外側壁１１１ｂと、上壁部１１１ａの室外寄りの下面より垂下する垂下壁１１１ｃと、上壁部１１１ａの室内寄りの下面に形成され室内側樹脂部材１１２を係止する２つの係止片１１１ｄ，１１１ｄとを有しており、上壁部１１１ａの見込み方向略中央位置には、ドラム式バランサーを係止するバランサー固定金具１１３が固定されている。
一方、室内側樹脂部材１１２は、中空部を上下方向に重ねてなる中空本体部１１２ａの室内側下端より室内側に向けて顎部１１２ｂが延設されて形成され、中空本体部１１２ａの上方部位であって室内側と室外側には、上枠本体１１１に形成された係止片１１１ｄ，１１１ｄに係止される係止爪１１２ｃ，１１２ｃが形成されている。
【００１２】
そして、上枠本体１１１の係止片１１１ｄ，１１１ｄに室内側樹脂部材１１２の係止爪１１２ｃ，１１２ｃを係止することにより一体化され、上枠本体１１１の室外側壁１１１ｂと室内側樹脂部材１１２の中空本体部１１２ａの室外側面とによって、外障子３の上端が挿入される上溝部１１ａが形成されている。
【００１３】
−下枠−
枠体１を構成する下枠１２は、図２に示すように、アルミニウム等の金属材料からなり、室外側に中空部１２１ａを備え、中空部１２１ａの室内側に上方に開口する下溝部１２ａを備える下枠本体１２１により形成されている。
下枠本体１２１の中空部１２１ａの上方面には、樹脂製のカバー部材１２２が配置されており、中空部１２１ａの室外側面には、網戸４の閉鎖時に網戸４の下端に設けた弾性部材ｃ１に当接する当接片１２１ｂが室外側に水平に延設されている。
【００１４】
下溝部１２ａは、室外側壁部１２１ｃと底壁部１２１ｄと底壁部１２１ｄの室内側より上方に延設される第１室内側壁部１２１ｅと第１室内側壁部１２１ｅの上端に連続して室内側に延びる中間底壁部１２１ｆと中間底壁部１２１ｆの室内側端より上方に延設される第２室内側壁部１２１ｇとにより構成されており、室外側壁部１２１ｃの上部には、内障子２が閉鎖位置に降下した際に、下框２２の下面に当接する弾性部材ｃ２が配置されているとともに、室外側壁部１２１ｃの室内側面及び第１室内側壁部１２１ｅの室外側面には、加熱により膨張して下溝部１２ａ内に充満する加熱膨張材９１２ａ，９１２ｂが配置されている。
第２室内側壁部１２１ｇの室外側面を覆うように、下枠樹脂部材１２３が取り付けられており、下枠樹脂部材１２３の上端には、顎部１２３ａが室内方向に延設されている。
【００１５】
−縦枠−
枠体１を構成する左右の縦枠１３，１４は、基本的にその構成を同じくするものであって、図３においては、枠体１の外障子３が固定される上方位置の構成を右縦枠１４に示し、内障子２が開閉する下方位置の構成を左縦枠１３に示している。以下に、左右の縦枠１３，１４の構成について、上方位置の構成については右縦枠１４（図３右側）を参照して、下方位置の構成については左縦枠１３（図３左側）を参照してを説明する。
枠体１を構成する左、右縦枠１３，１４は、図３に示すように、アルミニウム等の金属材料からなり室外側に中空部１３１ａ，１４１ａを有する左、右縦枠本体１３１，１４１と、樹脂材料からなり左、右縦枠本体１３１，１４１の中空部１３１ａ，１４１ａよりも室内側の内周面に取り付けられ複数の中空部１３２ａ，１４２ａを有する左、右縦枠樹脂部材１３２，１４２と、樹脂材料からなり左、右縦枠樹脂部材１３２，１４２の室内側に配置され中空部を有する室内側壁部材１３３，１４３とを備えている。
【００１６】
左、右縦枠本体１３１，１４１の中空部１３１ａ，１４１ａの室外側は内周方向に延設する室外側壁１３１ｂ，１４１ｂにより構成されており、室外側壁１３１ｂ，１４１ｂには、網戸４を案内する左、右網戸レール１３１ｃ，１４１ｃが突設されている。また、中空部１３１ａ，１４１ａの室内側面には、左、右縦枠樹脂部材１３２，１４２を係止するための係止片１３１ｄ，１４１ｄが形成されている。
左、右縦枠樹脂部材１３２，１４２は、左、右縦枠本体１３１，１４１の中空部１３１ａ，１４１ａに隣接して配置される複数の中空部１３２ａ，１４２ａを有しており、中空部１３２ａ，１４２ａの室外側面には左、右縦枠本体１３１、１４１の係止片１３１ｄ，１４１ｄに係止する係止爪１３２ｃ，１４２ｃが形成されているとともに、中空部１３２ａ，１４２ａの室内側には内周方向に開口する室内側凹部１３２ｂ，１４２ｂを有している。
【００１７】
そして、左、右縦枠１３，１４の下方位置においては、図３の左縦枠１３に見られるように、左縦枠本体１３１の中空部１３１ａと左縦枠樹脂部材１３２の中空部１３２ａの内周側に、アルミニウム等の金属材料からなる左縦枠カバー部材１３４が配置されている。
左縦枠カバー部材１３４は、左縦枠本体１３１の中空部１３１ａの室外側端部付近から左縦枠樹脂部材１３２の室内側凹部１３２ｂの室外側部分に亘って左縦枠本体１３１と左縦枠樹脂部材１３２の内周面を覆うカバー部材本体１３４ａと、カバー部材本体１３４ａの室内側の内周面に突出する中空部１３４ｂを有しており、中空部１３４ｂの室内側面に左、右縦枠１３，１４の下方位置を開閉する内障子２の縦框２３に設けられたモヘア等の気密部材ｓ１が当接して、縦枠の下方位置における枠体と障子との室外側気密ラインを形成している。そして、中空部１３４ｂのさらに室内側には、加熱により膨張する加熱膨張材９１３ｂを中空部１３４ｂの室内側面と内障子２の縦框２３の室外側面間に向けて保持する保持部１３４ｃが延設されている。
【００１８】
また、左縦枠樹脂部材１３２の室内側凹部１３２ｂと室内側壁部材１３３とによって、内障子２の下框２２より側方に突出する案内部材２２ｂを案内する左案内溝１３ａが形成されており、左案内溝１３ａを形成する室内側凹部１３２ｂの室外側面には、加熱膨張材９１３ａが配置されている。
【００１９】
一方、左、右縦枠１３，１４の上方位置においては、図３の右縦枠１４に見られるように、右縦枠カバー部材１４４は配置されておらず、右縦枠カバー部材１４４の上方位置に外障子３の右縦框３４が配置されることになる。
そして、右縦枠１４の上方位置に固定された外障子３の右縦框３４の外周面が、右縦枠本体１４１の中空部１４１ａと右縦枠樹脂部材１４２の中空部１４２ａの内周側を覆っており、右縦框３４の室外側面に配置された気密材ｓ２が、右縦枠本体１４１の室外側壁１４１ｂの室内側面に当接することで、縦枠の上方位置における枠体と障子との室外側気密ラインを形成している。
右縦枠樹脂部材１４２の室内側凹部１４２ｂの内周方向の開口は、樹脂カバー部材１４５により塞がれており、室内側凹部１４２ｂの室外側面には、加熱膨張材９１４ａが配置されている。
【００２０】
−外障子の上框−
外障子３を構成する上框３１は、図２に示すように、アルミニウム等の金属材料からなり中空部を備える室外側部材３１１と樹脂材料からなり中空部を備える室内側部材３１２とにより複合框として構成されており、室外側部材３１１と室内側部材３１２とにより内周にパネル間口３１ａが形成されている。
室外側部材３１１の室内側上端には、長手方向に沿って当接片３１１ａが上方に向かって延設されていて、外障子３が固定されている状態において上枠１１の垂下壁１１１ｃに当接している。また、室外側部材３１１の室外側面には、上枠１１の室外側壁１１１ｂに向かって気密材が配置されるとともに、気密材の下方位置には、上枠１１の室外側壁１１１ｂに向かって加熱膨張材９３１ａが配置されている。
【００２１】
−外障子の下框−
外障子３を構成する下框３２は、上げ下げ窓における外障子３の召合框であって、図２に示すように、アルミニウム等の金属材料からなり中空部３２１ａを備える下框本体３２１と、樹脂材料からなり下框本体３２１の室内側面に取り付けられてパネル間口３２ａを形成する室内側壁部材３２２とにより構成されており、下框本体３２１の室内側壁面にはネジ等の固定手段によりクレセント受け８２が固定されている。
下框本体３２１の室内側下端には、室内側に向けて煙り返しを形成する煙返し片３２１ｂが突設されており、煙返し片３２１ｂには、内障子２の上框２１に当接する気密材を室内側に向けて保持する気密材保持部３２１ｃが形成されている。
そして、外障子３を構成する下框３２の下面が枠体１の左、右縦枠１３，１４に固定された金属材料からなる支持手段の上面に載置されることにより、外障子３が枠体１の室外側上方位置に固定して配置されている。
【００２２】
−外障子の縦框−
外障子３を構成する左右の縦框３３，３４は、ほぼ同じ構成を有しているので、ここでは、右縦框３４を用いて外障子３の縦框について説明する。
外障子３を構成する右縦框３４は、図３に示すように、アルミニウム等の金属材料からなり中空部３４１ａを有する室外側部材３４１と、樹脂材料からなり中空部３４２ａを有する室内側部材３４２とにより複合框として構成されており、内周側には、室外側部材３４１と室内側部材３４２とによってパネル間口３４ａが形成されている。
室外側部材３４１の室外側面には、右縦枠１４の室外側壁１４１ｂに当接する気密材ｓ２が配置されている。
【００２３】
−内障子の上框−
内障子２を構成する上框２１は、上げ下げ窓における内障子２の召合框であって、図２に示すように、アルミニウム等の金属材料からなり中空部を備える室外側部材２１１と樹脂材料からなり中空部を備える室内側部材２１２とにより複合框として構成されており、室外側部材２１１と室内側部材２１２とにより内周にパネル間口２１ａが形成されている。
室外側部材２１１の室外側面には、外障子３の下框３２とともの煙返しを形成する煙返し片２１１ａが形成されており、煙返し片２１１ａの上方位置には、外障子３の下框３２の室内側面に向かって加熱膨張材９２１ａが配置されている。
室内側部材２１２は、室外側部材２１１の中空部の上面から室内側にかけて覆うように取り付けられており、室外側部材２１１の中空部の室内側に複数の中空部が並ぶように配置され、室内側部材２１２の上面には、クレセント錠８１が取り付けられている。
【００２４】
−内障子の下框−
内障子２を構成する下框２２は、図２に示すように、アルミニウム等の金属材料からなり中空部２２１ａを有する室外側部材２２１と、樹脂材料からなり中空部２２２ａを有する室内側部材２２２とにより複合框として構成されており、室外側部材２２１と室内側部材２２２とにより内周にパネル間口２２ａが形成されている。
下框２２の室外側部材２２１の下方部位には、案内部材２２ｂが左方向に突出しており、左縦枠１３の左案内溝１３ａに沿って上下方向に案内されている。
【００２５】
−内障子の縦框−
内障子２を構成する左右の縦框２３，２４は、ほぼ同じ構成を有しているので、ここでは、左縦框２３を用いて内障子２の縦框について説明する。
内障子２を構成する左縦框２３は、図３に示すように、アルミニウム等の金属材料からなり中空部２３１ａを有する室外側部材２３１と、樹脂材料からなり中空部２３２ａを有する室内側部材２３２とにより複合框として構成されており、内周側には、室外側部材２３１と室内側部材２３２とによってパネル間口２３ａが形成されている。
室外側部材２３１の室外側面は、左縦枠カバー部材１３４の中空部１３４ｂの室内側面に近接しており、室外側部材２３１の室外側面に配置したモヘア等の気密部材ｓ１を左縦枠カバー部材１３４の中空部１３４ｂの室内側面に当接させることで、縦枠１３と内障子２の縦框２３との間の気密ラインを形成している。
火災時には、左縦枠カバー部材１３４の保持部１３４ｃに保持された加熱膨張材９１３ｂが、金属材料からなる左縦枠カバー部材１３４の中空部１３４ｂと内障子２の縦框２３の金属材料からなる室外側部材２３１の間のモヘア等の気密部材ｓ１に向けて膨張することとなり、室内外の連通を防止することができる。
【００２６】
（コーナー部の構成）
以上、本実施形態の上げ下げ窓においては、断熱性を向上させるために、枠体及び障子の框体に樹脂部材が多く用いられており、例えば図４（ａ），（ｂ）に示すように、外障子３の左、右縦框３３，３４の下端には、金属材料からなる室外側部材３３１，３４１と樹脂材料からなる室内側部材３３２，３４２との二部材からなる左、右縦框３３，３４の下端面を覆うように樹脂製の端部キャップ５が装着され、室外側部材３３１，３４１と室内側部材３３２，３４２を下端部において一体化するとともに、室外側部材等の金属部材の端面が露出することを防止している。
【００２７】
このように外障子３の左、右縦框３３，３４の下端に樹脂材料からなる端部キャップ５を装着した場合に、室外側で火災が発生すると、外障子３の左、右縦框３３，３４の下端を覆っている端部キャップ５が室外の炎に直接さらされることになり、火災の早期の段階において溶け落ちてしまう可能性がある。
そして、左、右縦框３３，３４の見込み方向室内側には樹脂材料からなる室内側部材３３２，３４２が存在することから、端部キャップ５が落下することによって室内側部材３３２，３４２が火炎に直接晒されて溶融し、連通孔が生じて火災の延焼につながる可能性があった。
【００２８】
そこで、本実施形態の上げ下げ窓においては、外障子３の下框３２の中空部内に左、右縦框３３，３４の下端に装着される端部キャップ５に向かって発泡する加熱膨張材９を設けることで、端部キャップ５の溶融によって生じる隙間を埋めて、火災の延焼を抑制するように構成している。以下に、詳細に説明する。
なお、以下の端部キャップの説明においては、右縦框３４の下端に装着される端部キャップ５を用いて説明する。
【００２９】
端部キャップ５は、図５に示すように、右縦框３４の下端部を覆う底壁部５１と、底壁部５１の室内側上面にブロック状に形成された隆起部５２と、底壁部５１の室外側上面に突設された第１係合凸部５３と、隆起部５２の上面に突設された第２係合凸部５４及び第３係合凸部５５を備えており、隆起部５２の室外側の内周部分が室外方向に延設されて内周壁部５７が形成されている。また、底壁部５１の室内側端部には、内障子２の縦框２４の室外側面に当接するヒレ状の気密部材５６が取り付けられている。
【００３０】
そして、図６に示すように、右縦框３４の金属材料からなる室外側部材３４１の下端を底壁部５１の室外側上面に載置して中空部３４１ａに第１係合凸部５３を挿入して係合するとともに、樹脂材料からなる室内側部材３４２の下端を隆起部５２の上面に載置して中空部３４２ａ，３４２ａに第２係合凸部５４及び第３係合凸部５５を挿入して係合することによって、右縦框３４の下端部を一体化している。
このように室外側部材３４１の端面は底壁部５１の上面に載置され、室内側部材３４２の端面は端部キャップ５の隆起部５２の上面に載置されているとともに、室外側部材３４１の連結部３４１ｂの内周が端部キャップ５の内周壁部５７によって覆われているので、室外側部材３４１の端面と室内側部材３４２の端面とが揃うことがなく、室外側部材３４１と室内側部材３４２の隅部同士の隣接による隙間の発生を抑えることができる。
【００３１】
そして、端部キャップ５が装着された右縦框３４の下端内周面には、室外側部材３４１の内周面、室内側部材３４２の内周面及び端部キャップ５の隆起部５２の内周側面によって下框３２の端面が当接される面一の当接面が形成されており、下框３２の端面は右縦框３４の下端内周面に形成される当接面に突き当てられて、その一部が端部キャップ５に対向した状態で、外周面からネジ等の固定手段によってタッピングホール３２ｂを介して連結固定され、框組がなされている。
【００３２】
ここで、図７（ａ）に示すように、外障子３の下框３２の下框本体３２１の中空部３２１ａ内には、潰れ防止部材６が配置されている。潰れ防止部材６は、図７（ｂ）に示すように、下框３２の長手方向に延びる長尺部材であり、室外側が下方に開口する溝状部６１と溝状部６１の室内側下端から室内側に水平に延びる室内側水平壁６２とにより断面が鉤状の部材として形成されており、室内側水平壁６２の外周端部には、上方に立ち上がる側壁部６３が立設されている。
そして、下框３２の中空部３２１ａ内に配置された潰れ防止部材６は、外障子３が載置される支持手段の上方に位置し、パネル間口３２ａに配置されたパネル外れ止め部材７３２に対してビス等の連結手段により連結されている。
これによって、下框３２の中空部３２１ａの潰れを防止してパネルが下がって脱落することや、パネル上方に貫通孔が生じることを防止し、また、火災発生時に下框が溶融した際にパネル体３５が落下することを防止している。
【００３３】
そして、溝状部６１の底面には、下方に向かって発泡する加熱発泡材９７１が接着剤等によって取り付けられ、室内側水平壁６２の上面には、上方に向かって発泡する加熱発泡材９７２が取り付けられている。さらに、側壁部６３の外周側面には、外周に向かって発泡する加熱発泡材９７３が接着剤等によって取り付けられている。
したがって、火災時には、潰れ防止部材６の溝状部６１の底面に取り付けられた下に向かって発泡する加熱発泡材９７１と潰れ防止部材６の室内側水平壁６２の上面に取り付けられ上方に向かって発泡する加熱発泡材とにより少なくとも潰れ防止部材６とパネル外れ止め部材７３２との連結部分を覆うことができるので、潰れ防止部材６とパネル外れ止め部材７３２との連結を損なうことを抑制できる。また、潰れ防止部材６の側壁部６３の外周側面に取り付けた加熱発泡材９７３が下框３２の端面を覆う端部キャップ５に向かって直接膨張するので、縦框の下端に配置された端部キャップ５が熔融して落下しても、縦框の端面を覆うことができ、室内外の流通を抑制することができる。
【００３４】
以上のように、本実施形態の防火サッシは、外障子３の下框（召合框）３２の中空部３２１ａ内に配置される潰れ防止部材６の少なくとも中空部３２１ａの縦框との連結部分近傍に加熱膨張材９が配置されているので、火災時には膨張した加熱膨張材９は縦框と横框との連結部分に至り、隙間の発生を抑止することができる。
特に、縦框の下端部には樹脂材料からなる端部キャップ５が装着され、下框の端面の一部が対向するように構成されているが、下框３２の中空部内に配置された潰れ防止部材６の外周端部には、外周側に向かって膨張する加熱膨張材９が配置されているので、火災時に直接端部キャップに向かって膨張して端部キャップが溶融して落下するなどして生じる隙間を塞ぐことができる。
【００３５】
また、潰れ防止部材６の外周端部に配置される加熱膨張材は、潰れ防止部材６の端部室内側に立設された側壁部６３の外周面に配置され、見込み方向室内側に配置されているので、火炎に弱い樹脂材料からなる端部キャップ５の隆起部５２や室内側部材３４２の欠落により発生する空間に向かって確実に膨張するので、火災の延焼を効率よく抑制することができる。
【００３６】
なお、潰れ防止部材６の形状は、断面略鉤状に限定されるものではなく、外周に向かって膨張する加熱膨張材９を配置することができれば、断面略Ｌ字状等どのような形状であってもよく、また、潰れ防止部材６は、下框３２の長手方向全長に配置することが好ましいが、下框３２の両端部近傍にのみ配置してもよい。
また、本発明のコーナー部の構成が採用される建具は、上げ下げ窓に限定されるものではなく、室外側のアルミ形材と室内側の樹脂形材とで形成された縦框の内周面に中空部を有するアルミ形材を備える横框の端部を当接させて框組してなる障子を備える建具であれば、特に、限定されるものではない。
【符号の説明】
【００３７】
１        ：枠体
１１      ：上枠
１１ａ    ：上溝部
１１１    ：上枠本体
１１１ａ  ：上壁部
１１１ｂ  ：室外側壁
１１１ｃ  ：垂下壁
１１１ｄ  ：係止片
１１２    ：室内側樹脂部材
１１２ａ  ：中空本体部
１１２ｂ  ：顎部
１１２ｃ  ：係止爪
１２      ：下枠
１２ａ    ：下溝部
１２１    ：下枠本体
１２１ａ  ：中空部
１２１ｂ  ：当接片
１２１ｃ  ：室外側壁部
１２１ｄ  ：底壁部
１２１ｅ  ：第１室内側壁部
１２１ｆ  ：中間底壁部
１２１ｇ  ：第２室内側壁部
１２２    ：カバー部材
１２３    ：下枠樹脂部材
１２３ａ  ：顎部
１３      ：左縦枠
１３ａ    ：左案内溝
１３１    ：左縦枠本体
１３１ａ  ：中空部
１３１ｂ  ：左網戸レール
１３１ｃ  ：係止片
１３２    ：左縦枠樹脂部材
１３２ａ  ：中空部
１３２ｂ  ：室内側凹部
１３２ｃ  ：係止爪
１３３    ：室内側壁部材
１３４    ：左縦枠カバー部材
１３４ａ  ：中空部
１３４ｂ  ：保持部
１４      ：右縦枠
１４１    ：右縦枠本体
１４１ａ  ：中空部
１４１ｂ  ：室外側壁
１４１ｃ  ：右網戸レール
１４１ｄ  ：係止片
１４２    ：右縦枠樹脂部材
１４２ａ  ：中空部
１４２ｂ  ：室内側凹部
１４２ｃ  ：係止爪
１４３    ：室内側壁部材
２        ：内障子
２１      ：上框
２１ａ    ：パネル間口
２１１    ：室外側部材
２１１ａ  ：煙返し片
２１２    ：室内側部材
２２      ：下框
２２ａ    ：パネル間口
２２ｂ    ：案内部材
２２１    ：室外側部材
２２１ａ  ：中空部
２２２    ：室内側部材
２２２ａ  ：中空部
２３      ：左縦框
２３ａ    ：パネル間口
２３１    ：室外側部材
２３１ａ  ：中空部
２３２    ：室内側部材
２３２ａ  ：中空部
２４      ：右縦框
３        ：外障子
３１      ：上框
３１ａ    ：パネル間口
３１１    ：室外側部材
３１１ａ  ：当接片
３１２    ：室内側部材
３２      ：下框
３２ａ    ：パネル間口
３２ｂ    ：タッピングホール
３２１    ：下框本体
３２１ａ  ：中空部
３２１ｂ  ：煙返し片
３２１ｃ  ：気密材保持部
３２２    ：室内側壁部材
３３      ：左縦框
３４      ：右縦框
３４ａ    ：パネル間口
３４１    ：室外側部材
３４１ａ  ：中空部
３４１ｂ  ：連結部
３４２    ：室内側部材
３４２ａ  ：中空部
３５      ：パネル体
４        ：網戸
５        ：端部キャップ
５１      ：底壁部
５２      ：隆起部
５３      ：第１係合凸部
５４      ：第２係合凸部
５５      ：第３係合凸部
５６      ：気密部材
５７      ：内周壁部
６        ：潰れ防止部材
６１      ：溝状部
６２      ：室内側水平壁
６３      ：側壁部
７３２    ：パネル外れ止め部材
８１      ：クレセント錠
８２      ：クレセント受け
９７１    ：加熱発泡材
９７２    ：加熱発泡材
９７３    ：加熱発泡材
【図１】
2018035521.tif 000003
【図２】
2018035521.tif 000004
【図３】
2018035521.tif 000005
【図４】
2018035521.tif 000006
【図５】
2018035521.tif 000007
【図６】
2018035521.tif 000008
【図７】
2018035521.tif 000009